(57)【要約】【課題】外装材が筒状空間を形成し電線群を束ねることなく収容し外装材の被覆長さが大きくなっても外装材の巻き始め側端縁から電線がはみ出ることがなく、外装材の一端側での巻重ね量を他端側よりも大きくすることができて一端側での結束力が他端側に有効に伝わるように安定した結束状態を十分に確保できるワイヤハーネスを提供すること。【解決手段】電線群２と、電線群２に被された外装材３と、を有し、外装材３は、電線群２を挿通させる筒状に曲成されていて、巻き始め側端縁３ｃが電線群２の周面に対しスパイラル形状に巻き付いており、一端３ａ側が他端３ｂ側よりも多く巻き重ねられている。【選択図】図１
2017107657.tif 000002
【特許請求の範囲】
【請求項１】
電線群と、前記電線群に被された外装材と、を有し、
前記外装材は、前記電線群を挿通させる筒状に曲成されていて、巻き始め側端縁が前記電線群の周面に対しスパイラル形状に巻き付いており、一端側が他端側よりも多く巻き重ねられていることを特徴とするワイヤハーネス。
【請求項２】
前記外装材は、巻き終り側端縁が前記電線群の周面に対し前記巻き始め側端縁のスパイラル形状とクロスするようにスパイラル形状に巻き付いていることを特徴とするワイヤハーネス。
【請求項３】
展開形状が、電線長さ方向に延在するようにかつ電線長さ方向での一端側から他端側へと巻付け方向に対応する幅寸法が徐々に狭くなることを特徴とする請求項１または２に記載のワイヤハーネス。
【請求項４】
展開形状が台形であることを特徴とする請求項３に記載のワイヤハーネス。
【請求項５】
前記外装材は、形状記憶樹脂よりなり、前記電線群を挿通させる筒状に曲成された形状に形状記憶された平面部材が、加熱により記憶形状が復元されて前記電線群を挿通させる筒状に曲成されていることを特徴とする請求項１ないし４のいずれか１項に記載のワイヤハーネス。
【発明の詳細な説明】
【技術分野】
【０００１】
本発明は、電線群が外装材で円筒巻きされるワイヤハーネスに関する。
【背景技術】
【０００２】
図４は、特許文献１に開示されたワイヤハーネスを示す斜視図である。このワイヤハーネス１０は、電線群１１が外装材１２で円筒巻きされてなる。この外装材１２は、平面展開形状が長矩形であり、巻き始め側端縁部１２ａと巻き終り側端縁部１２ｂとが半巻き位重なる円筒形状に曲成されていて、電線群１１を緩く通している。
【０００３】
このほかに、特許文献としての公開情報としては存在しないが、ＰＥＴ織布を曲げ加工してなり、特許文献１と同様に、巻き始め側端縁部と巻き終り側端縁部とが重なる円筒形状の外装材で電線群が円筒巻きされ、一端が固定され、他端が張出端とされて使用されるワイヤハーネスがある。
【先行技術文献】
【特許文献】
【０００４】
【特許文献１】実用新案登録第３１７９０３２号公報
【発明の概要】
【発明が解決しようとする課題】
【０００５】
しかしながら、特許文献１に開示されたワイヤハーネス１０は、外装材１２の円筒巻きを開いて電線群１１を収容する作業が必要であり、予めの結束しない電線群１１の収容作業は手間がかかり、また巻き始め側端縁部１２ａと巻き終り側端縁部１２ｂとの間に隙間ができ易く、この隙間から電線の一部がはみ出してしまう恐れがあり、これを防止するために、電線群１１の予めの結束が必要であるという問題があった。
【０００６】
また、上記の織布を曲げ加工してなるワイヤハーネスについても、電線群が長くなると、巻き始め側端縁部と巻き終り側端縁部との重なり部に隙間ができて、電線の一部が外装材の重なり部からはみ出してしまう恐れがあるので電線群の予めの結束が必要であるという問題があった。
【０００７】
本発明は、上述のような課題を解決するためになされたもので、外装材が筒状空間を形成し電線群を束ねることなく収容し外装材の被覆長さが大きくなっても外装材の巻き始め側端縁から電線がはみ出ることがなく、外装材の一端側での巻重ね量を他端側よりも大きくすることができて一端側での結束力が他端側に有効に伝わるように安定した結束状態を十分に確保できるワイヤハーネスを提供することを目的としている。
【課題を解決するための手段】
【０００８】
本発明に係るワイヤハーネスは、上記目的達成のため、電線群と、前記電線群に被された外装材と、を有し、前記外装材は、前記電線群を挿通させる筒状に曲成されていて、巻き始め側端縁が前記電線群の周面に対しスパイラル形状に巻き付いており、一端側が他端側よりも多く巻き重ねられている構成である。
【０００９】
この構成によれば、本発明に係るワイヤハーネスは、外装材が電線群を挿通させる筒状に曲成されているので、外装材が筒状空間を形成し電線群を束ねることなく収容することができ、また外装材の巻き始め側端縁が前記電線群の周面に対しスパイラル形状に巻き付いているので、外装材の被覆長さが大きくなっても外装材の巻き始め側端縁から電線がはみ出ることがなく、さらに一端側が他端側よりも多く巻き重ねられ、かつ他端側が１巻き以上巻かれているので、外装材の一端側での巻重ね量を他端側よりも大きくすることができて一端側での結束力が他端側に有効に伝わるように安定した結束状態を確保することができる。
【００１０】
本発明に係るワイヤハーネスは、前記外装材が、巻き終り側端縁が前記電線群の周面に対し前記巻き始め側端縁のスパイラル形状とクロスするようにスパイラル形状に巻き付いている構成とすることがよい。
【００１１】
この構成により、本発明に係るワイヤハーネスは、一端側での結束力が他端側に有効に伝わるように安定した結束状態を一層十分に確保することができる。
【００１２】
本発明に係るワイヤハーネスは、前記展開形状が、電線長さ方向に延在するようにかつ電線長さ方向での前記一端側から前記他端側へと巻付け方向に対応する幅寸法が徐々に狭くなる構成とすることがよい。特に、前記展開形状が台形である構成とすることが好ましい。
【００１３】
この構成により、本発明に係るワイヤハーネスは、外装材の一端側が台形の下辺に対応し、外装材の他端側が台形の上辺に対応し、この台形状の外装材を、電線群に巻き付けかつ電線群を結束することで製造されるものであり、したがって、外装材の台形状を、上辺の両端からそれぞれ下辺に垂線を下して区画される長矩形と、この長矩形の両側に区画される直角三角形と、に分けて考えたとき、最初に一方の直角三角形部分を巻いていき、次いで長矩形部分を巻いて、最後に一方の直角三角形部分を巻いていき、外装材が電線群を良好に挿通させるものとなる。
【００１４】
前記外装材は、形状記憶樹脂よりなり、前記電線群を挿通させる筒状に曲成された形状に形状記憶された平面部材が、加熱により記憶形状が復元されて前記電線群を挿通させる筒状に曲成されている構成とすることがよい。
【００１５】
この構成により、本発明に係るワイヤハーネスは、予め筒状に曲成された形状の外装材の巻き終り側端縁を開いて、その隙間から電線群を入れ込んでいく作業が必要ないので、組み付け作業が容易になり、製作コストを低減できる。
【発明の効果】
【００１６】
本発明によれば、外装材が筒状空間を形成し電線群を束ねることなく収容し外装材の被覆長さが大きくなっても外装材の巻き始め側端縁から電線がはみ出ることがなく、外装材の一端側での巻重ね量を他端側よりも大きくすることができて一端側での結束力が他端側に有効に伝わるように安定した結束状態を十分に確保できるワイヤハーネスを提供することができる。
【図面の簡単な説明】
【００１７】
【図１】本発明の実施の形態に係るワイヤハーネスの配索状態の正面図である。
【図２】（ａ）図は、図１中のＡ−Ａ断面図であり、（ｂ）図は、図１中のＢ−Ｂ断面図である。
【図３】本発明の実施の形態に係るワイヤハーネスの製作方法を示す工程図である。
【図４】従来例に係るワイヤハーネスを示す斜視図である。
【発明を実施するための形態】
【００１８】
以下、本発明の実施の形態に係るワイヤハーネスについて図面を参照して説明する。
【００１９】
まず、ワイヤハーネスの構成を説明する。図１に示すように、ワイヤハーネス１は、電線群２と、電線群２に巻き付けられかつ電線群２を結束している外装材３と、を有してなる。この実施の形態では、ワイヤハーネス１は、基端側が車両などのパネルＰの貫通孔に挿通され、例えばパネルＰより設けられたブラケット４で下支えされかつブラケット４から外れないように粘着テープ５で固定され、電線群２の張出端にはコネクタ６が接続される。
【００２０】
電線群２は、例えば、データ線である複数の被覆電線と、給電線である被覆電線と、アース線である裸電線の束であり、この実施の形態では、粘着テープによる固定巻きや荒巻きが行われていない。電線群２は、複数の被覆電線が撚られているものも含む。
【００２１】
外装材３は、形状記憶樹脂よりなり、電線群２を挿通させる筒状に曲成された形状に形状記憶された平面部材Ｆ（図１中に一点鎖線で示す）が用意され、加熱により記憶形状が復元されて電線群２を挿通させる筒状に曲成され、図２に示すように、電線群２を締め付け状態、すなわち電線群２を結束する筒巻き形状に通している。なお、形状記憶樹脂としては、例えば、ポリウレタン系形状記憶ポリマーがあり、ポリウレタン系高分子材料の配合により、組成の異なるエーテル系とエステル系の２種類があり、ガラス転位点Ｔｇを例えば摂氏８０度に設定する。
【００２２】
外装材３の展開形状は、電線長さ方向に延在するようにかつ電線長さ方向での一端３ａ側（基端側）から他端３ｂ側（張出端側）へと巻付け方向に対応する幅寸法が徐々に狭くなるように、巻付け方向に直交する方向の両端縁部（巻き始め側端縁３ｃと巻き終り側端縁３ｄ）が連続して傾斜した形状、すなわち、高さ方向が電線群２の長さ方向と一致している、細く縦長の台形状である。
【００２３】
外装材３は、電線群２を挿通させる筒状に曲成されていて、巻き始め側端縁３ｃが電線群２の周面に対しスパイラル形状に巻き付いているとともに、巻き終り側端縁３ｄが前記電線群の周面に対し前記巻き始め側端縁のスパイラル形状とクロスするようにスパイラル形状に巻き付いており、一端３ａ側が他端３ｂ側よりも多く巻き重ねられ、かつ他端３ｂ側が１巻き以上巻かれている。
【００２４】
外装材３の展開形状である台形状について、上辺の両端からそれぞれ下辺に垂線を下して区画される長矩形と、この長矩形の両側に区画される直角三角形と、に分けて考えたときに、直角三角形の底辺の長さを大きくすると、電線群２に対して巻き付けた形態における、直角三角形の斜辺が緩い螺旋となり、電線群２の長さ方向での一端側での巻き重ね層数が多くなる。外装材３の展開形状である台形状は、等脚台形である必要はない。
【００２５】
外装材３の他端側の幅寸法は、電線群２が露出しないように１巻き以上巻かれる大きさであり、例えば１巻半となる大きさが好ましい。
【００２６】
次に、図３（ａ）、（ｂ）を参照してワイヤハーネス１の製造方法を説明する。
まず、図３（ａ）に示すように、復元する記憶形状が電線群２を挿通させる筒状となるように形状記憶した外装材３を用意する。外装材３の形状記憶方法は、外装材３の温度を再び摂氏８０度まで低下させ、これにより、外装材３を再び軟らかくなる状態に戻し、ここで、押え手段を外し、最初の台形平面に戻し、常温に温度低下させる。以上で、外装材３は、丸棒の巻き付け形状を記憶したことになる。
【００２７】
次いで、図３（ａ）に示すように、外装材３上に結束していない電線群２を載置する。次いで、外装材３の下面側より、ドライヤーの熱風を、先に巻き始め側端縁３ｃ側の領域に、遅れて巻き終り側端縁３ｄ側の領域に対して吹き付けることにより、図３（ｂ）に示すように、巻き始め側端縁３ｃから先に筒状に曲成されていき、巻き終り側端縁３ｄが巻き始め側端縁３ｃの外側に重なるように、記憶形状の筒巻き形状に復元されて電線群２を締め付け状態に通し電線群を結束する状態になる。
【００２８】
外装材３の、ドライヤーの熱風の吹き付け加熱による、記憶形状である筒巻き形状への復元過程を説明する。外装材３の一端側が台形の下辺に対応し、外装材３の他端側が台形の上辺に対応し、この台形状の外装材３を、電線群２に巻き付けかつ電線群２を結束することで製造されるものであり、したがって、外装材３の台形状を、上辺の両端からそれぞれ下辺に垂線を下して区画される長矩形と、この長矩形の両側に区画される直角三角形と、に分けて考えたとき、最初に一方の直角三角形部分を巻いていき、次いで長矩形部分を巻いて、最後に一方の直角三角形部分を巻いていく。
【００２９】
ワイヤハーネス１は、外装材３の一端３ａ側での巻き重ね層数が他端３ｂ側での巻き重ね層数より多くなる。図１中の矢印Ｃで示すように、巻き始めは、一方の直角三角形部分の底辺側を電線群２の一端３ａ側への固定を確保して巻いていくことで、斜辺部分が電線群２に対して弛まずに他端３ｂ側へスパイラル線が延びて巻き付いていき、続いて、長矩形部分により全長巻きが行われ、続いて、図１中の矢印Ｄで示すように、他方の直角三角形部分が電線群２に巻き付いていくときには、斜辺部分が電線群２に対して弛まずに一端３ａ側へスパイラル線が延びて巻き付いていき、図１に示すように、電線群２を締め付け状態に通し電線群２を結束する。
【００３０】
したがって、ワイヤハーネス１は、電線群２に対し外装材３で巻き始め側端縁３ｃと巻き終り側端縁３ｄとが電線群２の周面に対し互いに交差するようにスパイラル形状に巻き付いた状態に円筒巻きすることがでる。巻き始め側端縁３ｃが電線群２の周面にスパイラル形状に巻き付くことは、外装材３の被覆長さが大きい場合であっても、巻き始め側端縁３ｃのスパイラル形状の側縁部３ｃがその上に重なる外装材部分との間に、電線群２の長手方向に沿って大きな隙間が空いてしまうことが皆無である。このため、電線群２を束ねることなく筒状の外装材３に収容したときに、外装材３の巻き始め側端縁３ｃから電線がはみ出ることがなく、外装材３の一端側での巻重ね量を他端側よりも大きくすることができて安定した結束状態を十分に確保でき、一端側での結束力が他端側に有効に伝わる。ワイヤハーネス１は、電線群２の他端側での湾曲姿勢変化等による所要の可動域を確保でき、すなわち、外装材３の一端を固定し他端を自由端として電線群２の若干の変異を許す状態に装着して使用することができる。
【００３１】
本発明に係るワイヤハーネスは、外装材が、形状記憶樹脂ではない、例えばポリエステル樹脂製の織布に曲げ加工が施され、筒巻き形状に形成されていて、外装材を筒巻き形状を開いて電線群を締め付け状態に通して構成される場合も含む。
【００３２】
本発明によれば、外装材が筒状空間を形成し電線群を束ねることなく収容し外装材の被覆長さが大きくなっても外装材の巻き始め側端縁から電線がはみ出ることがなく、外装材の一端側での巻重ね量を他端側よりも大きくすることができて一端側での結束力が他端側に有効に伝わるように安定した結束状態を十分に確保できるという効果を有し、電線群が外装材で円筒巻きされるワイヤハーネスの全般に有用である。
【符号の説明】
【００３３】
１  ワイヤハーネス
２  電線群
３  外装材
３ａ  一端
３ｂ  他端
３ｃ  巻き始め側端縁
３ｄ  巻き終り側端縁
【図１】
2017107657.tif 000003
【図２】
2017107657.tif 000004
【図３】
2017107657.tif 000005
【図４】
2017107657.tif 000006